(57)【要約】  【課題】煩わしかった紙葉類へのタックインデックスの貼付を簡単かつ正確に、また全体の並びを見栄え良く貼付するための補助具を提供する。  【解決手段】厚手のカード紙又は樹脂製シートから成るタックインデックス貼付補助具１に、紙葉類Ｂの一端辺Ｂ０へ係合可能な係合部２と、取扱いの際、指で把持する把持部３と、把持部３の下部に設けられた切欠部４、５と、前記端辺と直交する紙葉類Ｂの他の端辺Ｂ１に沿って配列される目印６を設けた。  【選択図】図１
2005288795.tif 000002
【特許請求の範囲】
【請求項１】
紙葉類又は樹脂製透明ポケットその他の対象物の端辺にタックインデックスを貼付するための補助具であって、
前記対象物の一端辺へ係合可能な係合部と、前記端辺と直交する前記対象物の他の端辺に沿って配列される目印とを備えていることを特徴とするタックインデックス貼付補助具。
【請求項２】
前記タックインデックス貼付補助具は、単葉のシートからなると共に前記係合部は、前記シートにスリットや切込みを設けることで構成される舌片であることを特徴とする請求項１に記載のタックインデックス貼付補助具。
【請求項３】
前記タックインデックス貼付補助具は、単葉のシートからなると共に前記係合部は、前記シートを山折りすることで形成される折り返し部で形成されることを特徴とする請求項１に記載のタックインデックス貼付補助具。
【請求項４】
前記タックインデックス貼付補助具は、タックインデックス貼付しろの幅寸法に対応した切欠部を設けたことを特徴とする請求項１、２又は３に記載のタックインデックス貼付補助具。
【請求項５】
前記目印は、貼付するタックインデックスの縦寸法を一単位として設けられた目盛であることを特徴とする請求項１に記載のタックインデックス貼付補助具。
【請求項６】
前記目印は、対向する二辺に沿って形成される目盛であることを特徴とする請求項１又は５に記載のタックインデックス貼付補助具。
【請求項７】
前記目盛は、タックインデックス貼付しろの幅寸法に対応した前記切欠部に設けたことを特徴とする請求項４、５又は６に記載のタックインデックス貼付補助具。
【請求項８】
前記目盛は、幅太線から成る直線であることを特徴とする請求項５、６又は７に記載のタックインデックス貼付補助具。
【請求項９】
前記目盛は、タックインデックスが前記目盛に当てがわれた際、タックインデックスに設けられた貼付しろの形状と一対の目盛の間に形成される空間とが対称形となるよう、タックインデックスとの当接辺側を膨出させた形状であることを特徴とする請求項５、６、７又は８に記載のタックインデックス貼付補助具。
【発明の詳細な説明】
【技術分野】
【０００１】
本発明は、書類等の紙葉類又は樹脂製透明ポケットその他の対象物へのタックインデックスの貼付を所望の位置に、簡単かつ正確に行うことができるタックインデックス貼付補助具に関するものである。
【背景技術】
【０００２】
タックインデックスの貼付作業を簡単に行えるよう、インデックスの幅（縦寸法）と略同一の間隔で目盛が施された定規が知られている。
【特許文献１】実開平５−６５５９６
【発明の開示】
【発明が解決しようとする課題】
【０００３】
従来、帳簿や枚数の多い書類をファイリングする際、検索用の目印としてタックインデックスを書類の端辺に順次目測でずらしながら貼付していた。
【０００４】
こうした作業は、目測で行うため貼付間隔にバラツキが出たり、歪みが出たりして全体の並びが見栄えの悪いものであった。さらに、書類へのタックインデックス貼付が浅過ぎる場合にはタックインデックスが外れてしまうこともあった。
【０００５】
このような煩わしいタックインデックスの貼付作業を簡単に行えるよう、インデックスの幅（縦寸法）と略同一の間隔で目盛が施された定規が考案されているが、本考案では、定規を単に書類へ当てがっているだけなので定規はブレ易く、定規がブレるとタックインデックスも歪んで貼付されてしまうという不都合が生じていた。
【０００６】
さらに、書類へのタックインデックス貼付しろ分だけタックインデックスを定規の端辺から突出させて書類への貼付作業を行うので、タックインデックスの大部分は定規に貼付される結果となり、定規からの分離に手間取ったり、あるいは分離そのものができないおそれもあった。
【０００７】
そこで本発明の目的は、書類などの紙葉類又は樹脂製透明ポケットその他の対象物の一端辺へ係合可能な係合部を有すると共に、タックインデックスの前記対象物への貼付幅を規制する切欠部と、さらに前記端辺と直交する前記対象物の他の端辺に沿って配列される目印を設けることで、タックインデックスの縦方向及び横方向の貼付位置決めを行い、煩わしかった前記対象物へのタックインデックス貼付作業を簡単かつ正確に、さらに全体の並びを見栄え良く貼付することができる使い勝手の良いタックインデックス貼付補助具を提供することにある。
【課題を解決するための手段】
【０００８】
前述した目的を達成するために、本発明のタックインデックス貼付補助具は、紙葉類又は樹脂製透明ポケットその他の対象物の一端辺へ係合可能な係合部と、前記端辺と直交する前記対象物の他の端辺に沿って配列される目印とを備えている。このように前記補助具に前記対象物との係合部を設けたことで、前記補助具の前記対象物への位置決めと固定とが簡単にかつ正確に行うことができる。
【０００９】
また、前記係合部は、単葉のシートにスリットや切込みを設けることで形成される舌片で構成することで、構造が簡単でかつ前記対象物の裏面側へ前記舌片を差し込むだけで直ちに使用することができる。
【００１０】
さらに、前記係合部は、単葉のシートを山折りすることで形成される折り返し部で形成する構成を採ることもでき、そうした場合も構造が簡単であり、かつ前記シートの一部を折り返すだけの作業で、前記補助具の前記対象物への位置決めと固定とが簡単にかつ正確に行うことができる。
【００１１】
加えて、タックインデックス貼付しろの幅寸法に対応した切欠部を設けているので、当該切欠部にタックインデックスを当接させて貼付することで、前記対象物へのタックインデックスのくわえ込み幅を一定に保つことができる。
【００１２】
また、貼付するタックインデックスの縦寸法を一単位として設けられた目盛を備えているので、前記目盛の内側にタックインデックスを合わせるだけで、複数枚のタックインデックスを製本された紙面ごとあるいは前記対象物ごとにそれぞれ重ならないように貼付することができる。
【００１３】
さらに、前記目盛は対向する二辺に沿って形成されているので、前記対象物の一端辺の略半分と当該補助具の一辺とを沿わせて使い、前記端辺の他方半分には当該補助具の他辺側を沿わせて使うことができ、当該補助具の長さ寸法を短くすることができる。
【００１４】
また、タックインデックス貼付しろの幅寸法に対応した前記切欠部に目盛を設けているので、当該切欠部にタックインデックスを当接させて貼付することで、前記対象物へのタックインデックスのくわえ込み幅を一定に保つことができると共に、前記目盛は、幅太線から成る直線であるので、目盛を利用して複数枚のタックインデックスを製本された紙面ごとに貼付する際、前記直線の幅分それぞれのタックインデックスに離間領域を設けることができ、このように前記対象物に対するタックインデックスの縦方向、及び横方向の貼付位置決めを同時に行うことできるようになるので、貼付されたタックインデックスの並びを見栄えのよいものにすることができる。
【００１５】
加えて、前記目盛は、タックインデックスが目盛に当てがわれた際、タックインデックスに設けられた貼付しろの形状と一対の目盛の間に形成される空間とが対称形となるよう、タックインデックスとの当接辺側を膨出させた形状に設けられているので、タックインデックスの貼付位置合せがより簡便に行えるようになる。
【００１６】
なお、上述したその他の対象物とは樹脂製のシートや合成紙等であって、紙葉類又は樹脂製透明ポケットを除いたタックインデックスの貼付対象となり得るものの総称である。
【発明の効果】
【００１７】
本発明によれば、煩わしかった紙葉類又は樹脂製透明ポケットその他の対象物へのタックインデックスの貼付を簡単かつ正確に、また全体の並びを見栄え良く貼付することができるようになる。
【発明を実施するための最良の形態】
【００１８】
以下、本発明の第一の実施形態を図面を参照して説明する。
【００１９】
この実施形態のタックインデックス貼付補助具１は、図１及び図２に示すように、紙葉類Ｂの一端辺Ｂ０へ係合可能な係合部２と、取扱いの際、指で把持する把持部３と、把持部３の下方に設けられた切欠部４、５と、前記端辺Ｂ０と直交する紙葉類Ｂの他の端辺Ｂ１に沿って配列される目印６となる目盛７とから構成され、厚手のカード紙や樹脂製シートから製造される。
【００２０】
さらに、フックに引っ掛けることができるよう、図１に示すように、フッキング用の孔Ｆを設けても良い。
【００２１】
係合部２は、図１に示すように、略コの字状のスリット２１で形成される舌片２２から成り、厚手のカード紙や樹脂製シートをトムソン等の抜型で打ち抜いてタックインデックス貼付補助具１を形成する際、同時に設けられる。
【００２２】
なお、係合部２はスリット２１で形成される舌片２２に限られるものではなく、例えば、切込みにて形成されたものであっても良い。
【００２３】
把持部３は、図１に示すように、タックインデックス貼付補助具１の係合部２の上部に設けられ係合部２を紙葉類Ｂの端辺Ｂ０へ係合させる際、あるいは係合を解除する際の指の把持領域となる。
【００２４】
切欠部４、５は、図１又は図２に示すように、タックインデックス貼付補助具１の幅方向に対向する二辺に配置されると共に、把持部３の下方領域に設けられ、把持部短辺３１を紙葉類の端辺Ｂ１に合わせた際、タックインデックスＡの貼付しろＡ１の幅寸法に対応した後退領域４１を構成するように設けられている。このように構成することで、前記後退領域４１がタックインデックスＡの紙葉類Ｂへの貼付しろＡ１と略一致し、切欠部４又は５にタックインデックスＡを当接させるだけでタックインデックスＡの紙葉類Ｂへの貼付幅を一定にすることができる。
【００２５】
目印６は、図１及び図２に示すように、タックインデックス貼付補助具１の幅方向に対向する二辺に配置される切欠部５、６に臨んで設けられる幅太な直線から成る目盛７によって構成され、さらに前記目盛７は、貼付するタックインデックスＡの縦寸法を一単位として設けられている。
【００２６】
さらに、目盛７には数字を設けることでタックインデックスＡの貼付順序を明示することができるようになる。この場合、切欠部４側の目盛７に設けられる数字は、タックインデックス貼付補助具１の上方から下方へ数字が順次大きくなるよう配設し、切欠部５側の目盛７に設けられる数字は、前記切欠部４側の目盛７の最後に設けられた数字と同じ数字から始まると共に、天地方向逆方向きに、かつタックインデックス貼付補助具１の下方から上方へ数字が順次大きくなるよう配設する。
【００２７】
このように構成することで、図４に示すように、紙葉類Ｂの端辺Ｂ１近傍の上方略半分に切欠部４を沿わせて使うと共に、図５に示すように、前記端辺Ｂ１近傍の下方半分に切欠部５が沿うようにタックインデックス貼付補助具１を紙葉類Ｂの下方から係合させることができ、タックインデックス貼付補助具１の長さ寸法を短くしても前記端辺Ｂ１近傍の全長に渡って目盛７を当てがうことができる。
【００２８】
加えて、前記目盛７は、図２に示すように、貼付するタックインデックスＡの縦寸法を一単位として幅太な直線で設けられているので、一対の目盛７、７の間にタックインデックスＡを合わせるだけで、図３に示すように、前記目盛７の線幅分に対応したタックインデックスＡの離間領域Ｃが形成され、複数枚のタックインデックスＡを製本された紙面ごとにそれぞれ重ならないように貼付することができる。なお、目盛７は、印刷であっても突起や切込みであっても目印として機能するものであればその構成を問わない。
【００２９】
次に、本発明の第二の実施形態を図面を参照して説明する。
【００３０】
この実施形態のタックインデックス貼付補助具１０は、図６及び図７に示されるように、紙葉類Ｂの一端辺Ｂ０へ係合可能な係合部２０と、取扱いの際、指で把持する把持部３０と、把持部３０の下部に設けられた切欠部４０、５０と、前記端辺Ｂ０と直交する紙葉類Ｂの他の端辺Ｂ１に沿って配列される目印６０とから構成され、厚手のカード紙や樹脂製シートから製造される。
【００３１】
係合部２０は、図６に示すように、把持部３０の領域内を長手方向に沿う折り線３０１を山折りすることで設けられる折り返し部３０２で形成され、図７に示すように、折り返し部３０２を紙葉類Ｂの裏面側へ差込むことで、タックインデックス貼付補助具１０の紙葉類への位置決めと固定とを簡単かつ正確に行うことができる。また、タックインデックス貼付補助具１０を厚手のカード紙や樹脂製シートをトムソン等の抜型で打ち抜いて形成する際、同時に折り返し部３０２を形成する折り線３０１もタックインデックス貼付補助具１の表層面に切込みを設ける方法で形成するとなお使い勝手が向上する。
【００３２】
なお、切欠部４０、５０以下、目印６０、目盛７０のそれぞれの構成は、第一の実施形態における切欠部４、５、目印６、目盛７の構成と同じであるので詳細は省略する。
【００３３】
また、目印６０は、図６に示すように、タックインデックス貼付補助具１の幅方向に対向する二辺に配置される切欠部４０、５０に設けられていて、前記目印６０を構成する目盛７０に数字を設けること、並びに切欠部４０側の目盛７０に設けられる数字は、タックインデックス貼付補助具１０の上方から下方へ数字が順次大きくなるよう配設し、切欠部５０側の目盛７０に設けられる数字は、前記切欠部４０側の目盛７０の最後に設けられた数字と同じ数字から始まると共に、天地方向逆方向きに、かつタックインデックス貼付補助具１の下方から上方へ数字が順次大きくなるよう配設することは第一の実施形態と同じである。
【００３４】
このように構成することで、図７に示すように、紙葉類Ｂの端辺Ｂ１近傍の上方略半分に切欠部４０を沿わせて使うと共に、図８に示すように、前記端辺Ｂ１近傍の下方半分に切欠部５０が沿うように、タックインデックス貼付補助具１０を紙葉類Ｂの下方から係合させることができ、タックインデックス貼付補助具１０の長さ寸法を短くしても前記端辺Ｂ１近傍の全長に渡って目盛７０を当てがうことができる。
【００３５】
加えて、図６に示すように、折り線３０１と平行に折り返し部３０２に切取り線３０３を設け、把持部３０が不要な場合にも適宜対応できるように構成しても良い。
【００３６】
次に、本発明の第三の実施形態を図面を参照して説明する。
【００３７】
この実施形態のタックインデックス貼付補助具１０Ａには、図９に示すように、係合部２０Ａ、把持部３０Ａ、切欠部４０Ａ、５０Ａ、目印６０Ａ、目盛７０Ａが設けられ、それぞれの構成は、第一の実施形における係合部２、把持部３、切欠部４、５、目印６の構成と、あるいは、第二の実施形における係合部２０、把持部３０、切欠部４０、５０、目印６０の構成と同じであるので詳細は省略する。
【００３８】
この実施形態の目盛７０Ａは、図９に示すように、タックインデックスＡが切欠部４０Ａ又は５０Ａに当てがわれた際、タックインデックスＡに設けられた貼付しろＡｘの形状と一対の目盛７０Ａ、７０Ａの間に形成される空間７０Ａｘとが対称形となるよう、切欠部４０Ａ、５０ＡのタックインデックスＡとの当接部８０Ａ、９０Ａに向かって膨らむ膨出部７１Ａが設けられている。このように構成することで、タックインデックスの貼付位置合せを二つの擬似図形を対称となるようにするだけで簡単に行うことができるようになる。
【００３９】
以上、本発明の実施形態について、紙葉類へのタックインデックスの貼付を説明してきたが、本発明は紙葉類へのタックインデックス貼付に限られるものではなく、例えば前述した樹脂製の透明ポケットへの貼付など本発明の趣旨を逸脱しない範囲で変形利用することができる。
【図面の簡単な説明】
【００４０】
【図１】本発明の第一実施形態におけるタックインデックス貼付補助具を示す正面図
【図２】同実施形態におけるタックインデックス貼付補助具を示す斜視図
【図３】同実施形態における紙葉類へ貼付後のタックインデックスを示す斜    視図
【図４】同実施形態におけるタックインデックス貼付補助具の使い方の説明図
【図５】同実施形態におけるタックインデックス貼付補助具の使い方の説明図
【図６】本発明の第二実施形態におけるタックインデックス貼付補助具を示す正面図
【図７】同実施形態におけるタックインデックス貼付補助具の使い方の説明図
【図８】同実施形態におけるタックインデックス貼付補助具の使い方の説明図
【図９】本発明の第三実施形態におけるタックインデックス貼付補助具を示す斜視図
【符号の説明】
【００４１】
１、１０、１０Ａ…タックインデックス貼付補助具
２、２０、２０Ａ…係合部
２１…スリット
２２…舌片
３、３０、３０Ａ…把持部把持端辺…３１
４、４０、４０Ａ…切欠部
４１、４１０…後退領域
５、５０、５０Ａ…切欠部
６、６０、６０Ａ…目印
７、７０、７０Ａ…目盛
８０Ａ、９０Ａ…当接部
Ａ…タックインデックス
Ｂ…紙葉類
Ｃ…離間領域
【図１】
2005288795.tif 000003
【図２】
2005288795.tif 000004
【図３】
2005288795.tif 000005
【図４】
2005288795.tif 000006
【図５】
2005288795.tif 000007
【図６】
2005288795.tif 000008
【図７】
2005288795.tif 000009
【図８】
2005288795.tif 000010
【図９】
2005288795.tif 000011